(57)【要約】【課題】本発明は、通信不可能領域に移動した際にも携帯端末上に当該通信不可能領域の情報を表示し、現地で携帯端末上で新たな情報を追加・更新させることを可能とする方法及びシステムを提供することを課題とする。【解決手段】本発明は、サーバと通信可能な領域において、サーバから通信不可能となる領域の情報をフォーマットと共に携帯端末にダウンロードするステップと、サーバと通信不可能な領域に移動した際に、ダウンロードした情報を閲覧すると共に当該通信不可能な領域の追加情報を携帯端末上で追加入力するステップと、サーバと再度通信可能な領域に復帰移動した際に、追加入力された通信不可能な領域の情報をフォーマットと共に携帯端末からネットワークを介してサーバにアップロードし、サーバ上の通信不可能な領域の情報を更新するステップとを含む携帯端末を用いた通信不可能領域の情報入出力方法である。【選択図】図１
2008042653.tif 000002
【特許請求の範囲】
【請求項１】
ネットワークを介してサーバと通信可能な携帯端末を用いた情報入出力方法であって、
前記サーバと通信可能な領域において、前記サーバから通信不可能となる領域の情報をフォーマットと共に携帯端末にダウンロードするステップと、
前記サーバと通信不可能な領域に移動した際に、前記携帯端末にダウンロードした情報を閲覧すると共に当該通信不可能な領域の追加情報を前記携帯端末上で前記フォーマットにしたがって追加入力するステップと、
前記サーバと再度通信可能な領域に復帰移動した際に、前記で追加入力された通信不可能な領域の情報を前記フォーマットと共に前記携帯端末から前記ネットワークを介して前記サーバにアップロードすることにより、前記サーバ上の通信不可能な領域の情報を更新するステップとを含む携帯端末を用いた通信不可能領域の情報入出力方法。
【請求項２】
前記でダウンロードした情報が時間の属性を有するイベント情報であり、且つ前記通信可能な領域と通信不可能な領域との間に時差があるときには、
前記携帯端末は、前記携帯端末に設定された時間情報に関係なく、前記時差に基づいて計算した通信不可能な領域の基準時間で前記イベント情報を表示またはアラーム通知するステップをさらに備えた請求項１に記載の携帯端末を用いた通信不可能領域の情報入出力方法。
【請求項３】
ネットワークを介してサーバと通信可能な携帯端末を用いた情報入出力システムであって、
前記サーバと通信可能な領域において、前記サーバから通信不可能となる領域の情報をフォーマットと共に携帯端末にダウンロードする手段と、
前記サーバと通信不可能な領域に移動した際に、前記携帯端末にダウンロードした情報を閲覧すると共に当該通信不可能な領域の追加情報を前記携帯端末上で前記フォーマットにしたがって追加入力する手段と、
前記サーバと再度通信可能な領域に復帰移動した際に、前記で追加入力された通信不可能な領域の情報を前記フォーマットと共に前記携帯端末から前記ネットワークを介して前記サーバにアップロードすることにより、前記サーバ上の通信不可能な領域の情報を更新する手段とを備えている携帯端末を用いた通信不可能領域の情報入出力システム。
【請求項４】
前記でダウンロードした情報が時間の属性を有するイベント情報であり、且つ前記通信可能な領域と通信不可能な領域との間に時差があるときには、前記携帯端末に設定された時間情報に関係なく、前記時差に基づいて計算した通信不可能な領域の基準時間で前記イベント情報を表示またはアラーム通知する手段をさらに備えている請求項３に記載の携帯端末を用いた通信不可能領域の情報入出力システム。
【発明の詳細な説明】
【技術分野】
【０００１】
本発明は、携帯端末を海外等の通信不可能領域においても情報参照及び情報入出力手段として有効に機能させる技術に関する。
【背景技術】
【０００２】
ｉモード（株式会社エヌ・ティ・ティドコモの商標）等の急速な普及により、携帯電話端末が情報端末として一般的になってきており、この携帯電話端末を用いて出張先・旅行先のホテルやレストラン等の情報を閲覧することが増えてきている。
【０００３】
このような出張先・旅行先の情報としては、地図情報やレストランでのおすすめ料理情報等を含んでいるため、不慣れな土地への出張者や旅行者にとっては貴重な情報源となっている。
【特許文献１】特開２００２−３４２３４９号公報
【発明の開示】
【発明が解決しようとする課題】
【０００４】
しかしながら、前述の特許文献１等に記載された先行技術では、情報を入手したり、閲覧したりできるのはあくまでもサーバと通信可能な地域に出張者・旅行者がいる場合であって、海外等のサーバとの通信が不可能な地域への出張の場合には、携帯電話端末は不要な荷物、又はカメラの代用品（カメラ付携帯電話端末の場合）になるだけの無用の長物と化していた。
【０００５】
さらに、サーバ運営側からみても、海外等の通信不可能領域に関する情報については、何らかの変更（例えば、レストランのメニューの変更や顧客の評価情報）があった場合にも、サーバ運営側が自ら調べて情報を更新をする以外に情報の追加・更新はできなかった。
【０００６】
そこで、本発明は、通信不可能領域に移動した際にも携帯電話端末上に当該通信不可能領域の情報を表示し、通信不可能領域で携帯電話端末上において新たな情報を追加・更新させると共に、通信可能領域に復帰移動した際に追加・更新された携帯電話端末上の情報に基づいてサーバ上の通信不可能領域の情報を追加・更新可能にすることを技術的課題とする。
【課題を解決するための手段】
【０００７】
本発明は上記事項に鑑みてなされたものであり、本発明では以下の手段を採用した。
本発明の第１は、ネットワークを介してサーバと通信可能な携帯端末を用いた情報入出力方法であって、サーバと通信可能な領域において、サーバから通信不可能となる領域の情報をフォーマットと共に携帯端末にダウンロードするステップと、サーバと通信不可能な領域に移動した際に、携帯端末にダウンロードした情報を閲覧すると共に当該通信不可能な領域の追加情報を前記携帯端末上で前記フォーマットにしたがって追加入力するステップと、サーバと再度通信可能な領域に復帰移動した際に、前記で追加入力された通信不可能な領域の情報をフォーマットと共に前記携帯端末からネットワークを介してサーバにアップロードすることにより、サーバ上の通信不可能な領域の情報を更新するステップとを含む携帯端末を用いた通信不可能領域の情報入出力方法である。
【０００８】
このように、まず通信可能な領域、例えば日本国内で渡航先の通信不可能な領域、すなわち海外の所定都市での地図情報やレストラン情報を予め所定のフォーマットで携帯端末
にダウンロードした情報を表示させて、例えば地図に基づいて移動したり、レストラン等の予約を行ったりすることができる。
【０００９】
そして、当該フォーマットにしたがって、当該携帯端末がカメラ付端末である場合には、撮影した景色等を記憶させる。さらに、レストランのメニュー情報やその評価を文字入力してもよい。このように追加・更新した情報は、携帯電話端末内の記憶領域又はそこに登録されたアプリーケション内に当該フォーマットにしたがって保持される。
【００１０】
そして、帰国した際に、このように追加・更新した情報を当該携帯端末からネットワークを介してサーバにアップロードすることにより、サーバ上の情報を追加・更新する。
【００１１】
このように、本発明によれば、ユーザにとっては通信不可能な領域、例えば海外渡航先の情報を現地で閲覧でき、サーバ運営側としては、ユーザが入力した追加・更新情報によって通信不可能領域における情報も更新が容易となる。
【００１２】
また、本発明の第２は、前記でダウンロードした情報が時間の属性を有するイベント情報であり、且つ通信可能な領域と通信不可能な領域との間に時差があるときには、携帯端末は、携帯端末に設定された時間情報に関係なく、時差に基づいて計算した通信不可能な領域の基準時間でイベント情報を表示またはアラーム通知するステップをさらに備えた携帯端末を用いた通信不可能領域の情報入出力方法である。
【００１３】
この方法によれば、携帯端末上の時間情報を現地時間に補正しなくても、イベント情報自体に時差を補正して表示又はアラーム通知する機能を持たせたため、現地時間に合わせた情報入手が可能となる。
【発明の効果】
【００１４】
本発明によれば、通信不可能領域に移動した際にも携帯端末上に当該通信不可能領域の情報を表示し、現地で携帯端末上で新たな情報を追加・更新させると共に通信可能領域に復帰移動した際に追加・更新された携帯端末上の情報に基づいてサーバ上の通信不可能領域の情報を追加・更新可能とすることができる。
【発明を実施するための最良の形態】
【００１５】
以下、本実施形態における携帯端末を用いた通信不可能領域の情報入出力方法及びシステムについて図面を参照し説明する。
まず、本システム１の構成について説明する。図１に本実施形態におけるシステムのハードウェアについてのブロック図を示す。
【００１６】
本システム１は、サーバ２と携帯電話端末（携帯端末）３とがインターネット（ネットワーク）４を介して接続されている。尚、本実施形態では、サーバ２として、インターネット接続可能な汎用のパーソナルコンピュータを用いている。
【００１７】
図１に示すように、サーバ２は、全体の制御を行うＣＰＵ５と、ＣＰＵ５の処理に伴うデータを一時的に記憶するＲＡＭ６と、各種基本プログラムを記憶したＲＯＭ７と、インターネットに接続可能とする通信インターフェース８と、各種アプリケーションプログラムやデータを記憶したハードディスク９とを備えている。
【００１８】
ハードディスク９内には、マイページを構築するための、スポット基本データテーブル１０、クチコミ情報テーブル１１、会員ユーザデータテーブル１２、イベントデータテーブル１３、携帯アプリケーションプログラムが格納されている。
【００１９】
スポット基本データテーブル１０には、スポットに関する情報が格納されている。図２に示すように、スポット基本データテーブル１０には、スポット毎に付されるＩＤ（プライマリーキー），スポットのカテゴリを示すカテゴリＩＤ，スポットの所在エリアを示すエリアＩＤ，スポットの緯度・経度，住所，スポット名，電話番号，営業時間，休日情報，スポットについての説明文，ＵＲＬ，モバイル用のＵＲＬの項目があり、それぞれについて、カラム名，カラムタイプ（数字，文字，日付），データベース格納範囲が格納されている。尚、スポット基本データテーブル１０内のカテゴリＩＤは、サブテーブルである図３に示すカテゴリテーブル１０ａのカテゴリＩＤと連結し、エリアＩＤは、サブテーブルである図４に示すエリアテーブル１０ｂのエリアＩＤと連結している。カテゴリテーブル１０ａには、例えば「食べる・飲む」，「きれい・癒し」，「ショッピング」，「観光・遊ぶ」，「バス・交通」，「ホテル」というようなカテゴリにＩＤが付され格納されている。
【００２０】
また、クチコミ情報テーブル１１には、スポットについての他のユーザからの感想や紹介等の所謂クチコミ情報が格納されている。図５に示すように、クチコミ情報テーブル１１には、スポットＩＤ，メンバーＩＤ，更新日時，グレード（評価情報），画像データの数（枚数）の項目があり、それぞれについて、カラム名，カラムタイプ（数字，文字，日付），データベース格納範囲が格納されている。尚、クチコミ情報テーブル１１内のスポットＩＤは、スポット基本データテーブル１０に格納されたＩＤと連結し、メンバーＩＤは、後述する会員ユーザデータテーブル１２に格納されたＩＤと連結している。
【００２１】
さらに、会員ユーザデータテーブル１２には、会員ユーザの登録情報が格納されている。図６に示すように、会員ユーザデータテーブル１２は、ユーザＩＤ，ニックネーム，メールアドレス，パスワード，誕生日，性別，県名，携帯電話アドレスの項目があり、それぞれについてカラム名，カラムタイプ（数字，文字，日付），データベース格納範囲が格納されている。
【００２２】
また、イベントデータテーブル１３には、花火，バーゲンセール，ライブ等のイベントに関する情報が格納されている。図７に示すようにイベントデータテーブル１３には、ＩＤ（プライマリーキー），スポットＩＤ（スポット基本データテーブル１０のＩＤと連結），イベント日時，イベントの説明分となる本文の項目があり、それぞれについて、カラム名，カラムタイプ（数字，文字，日付），データベース格納範囲が格納されている。
【００２３】
さらに、図８に示すように、コンディションテーブル１４には、スポット基本データテーブル１０の項目に結びつけられている検索の際の項目が格納されている。検索の際の項目は、カテゴリテーブル１０ａの内容に対応しており、例えば、カテゴリが「食べる・飲む」という項目の場合、検索項目は「アジア料理，アメリカ・メキシコ料理，イタリア・フランス料理，中華料理，日本料理，ステーキ・シーフード，カフェ・軽食，バー・クラブ，キッズメニュー」という項目とすることができる。また、カテゴリが「ホテル」という項目の場合は、検索項目は「ホテル，コンドミニアム，タイムシェア」という項目とすることができる。
【００２４】
また、ハードディスク９には、会員ユーザデータテーブル１２のサブテーブルであるマイスポットテーブル１２ａが格納されている。マイスポットテーブル１２ａは、会員ユーザが所謂お気に入りで登録したスポット（場所）のＩＤを格納している。図９に示すように、マイスポットテーブル１２ａには、プライマリーキー，メンバーＩＤ，スポットＩＤの項目があり、それぞれについてカラム名，カラムタイプ（数字，文字，日付），データベース格納範囲が格納されている。尚、メンバーＩＤは、会員ユーザデータテーブル１２のＩＤと連結しており、スポットＩＤは、スポット基本データテーブル１０のＩＤと連結している。
【００２５】
また、ハードディスク９には、時差補正テーブル１５が格納されている。図１０に示すように、時差補正テーブル１５には、日本を基準としてプラス○時間／マイナス○時間とし各国の時間を関連づけた情報とエリアＩＤが格納されている。このエリアＩＤはスポット基本データテーブル１０のＩＤと連結している。
【００２６】
また、ハードディスク９には、携帯電話端末３にて、ダウンロードしたマイページの情報を閲覧するためのアプリケーションソフトが格納されている。本システム１を利用するために、ユーザは、このアプリケーションソフトを携帯電話端末３にてダウンロードする必要がある。このアプリケーションソフトは、携帯電話端末３がサーバ２との通信不可能な場所に移動してしまったとしても、マイページの情報の閲覧を可能とする。
【００２７】
次に、本実施形態における携帯電話端末３の構成について説明する。図１に示すように、携帯電話端末３は、全体の制御を行うＣＰＵ１６と、ＯＳや各種データを記録しているメモリ１７と、ディスプレイ１８と、テンキー１９と、携帯電話用の電波を受信するアンテナを有し携帯電話端末３を通信可能状態とする通信制御部２０とを備えている。
【００２８】
メモリ１７には、前述したように、サーバ２からダウンロードしたアプリケーションソフト（本実施形態ではｉアプリ（株式会社エヌ・ティ・ティドコモの商標）であり、以下アプリケーションソフトと称す）が記憶される。本システム１を利用するためには、携帯電話端末３にてこのアプリケーションソフトを起動させる。
【００２９】
また、メモリ１７には、アプリケーションソフトがダウンロードされるとアプリケーションソフトが起動し、上述したコンディションテーブル１４がダウンロードされる。コンディションテーブル１４は、携帯電話端末３をスタンドアロンで使用する際の、検索の処理に使用される。
【００３０】
以上が、本実施形態のサーバ２と携帯電話端末３の構成である。
【００３１】
次に、本システム１の仕様について詳説する。尚、本実施形態では、携帯電話端末３の通信可能領域を日本（国内）とし、通信不可能領域となる渡航先をハワイ（海外）として説明する。
【００３２】
図１１に示すように、本システム１は、ユーザ端末（パーソナルコンピュータ）２１と、携帯電話端末（携帯端末）３とサーバ２とがインターネット（ネットワーク）４を介して接続されている。
【００３３】
そして、本システム１は、１）持ち出し，２）記録，３）書き込みの三つの処理により構成されている。
【００３４】
１）「持ち出し」について
「持ち出し」の処理は、携帯電話端末３が通信可能領域にある時に行うことを前提とする。
会員ユーザは、本システム１の会員登録後、渡航先の情報を、場所（国名，緯度・経度等から）やスポット名により取得したい情報を検索する。そのために、会員ユーザは、ユーザ端末２１からサーバ２に接続し、条件絞り込み検索によりサーバ２のハードディスク９内のスポット基本データテーブル１０，クチコミ情報テーブル１１，イベントデータテーブル１３から情報を引き出しユーザ端末２１の画面上にて閲覧する（図１２（ａ）参照）。尚、本実施形態ではレストラン情報を閲覧することとして説明する。
【００３５】
ユーザ端末２１に表示された閲覧画面には、レストラン名とレストランの所在地を地図上に示したものが一緒に表示される。会員ユーザは、ユーザ端末２１から、表示されたレストランの中からより詳細な情報を閲覧するレストラン（ここでは○○レストランとする）を選択する。
【００３６】
すると、図１２（ｂ）に示すように、選択した○○レストランの所在地、営業時間、定休日、口コミ情報等が画面上に表示される。また、この画面上には、「マイページに追加」というアイコンが設定されている。このアイコンを選択することにより、会員ユーザデータテーブル１２とスポット情報とを紐づけて、マイページにデータを登録することができる。
【００３７】
マイページは、図１２（ｃ）に示すように、会員ユーザが上記のようにして登録したお気に入りのスポット情報が一覧表示される。さらに、マイページには、旅行日程や基点情報（宿泊ホテル等）を登録するためのアイコンも設定されている。
【００３８】
また、マイページには、会員ユーザの携帯電話端末３に、マイページ登録情報を閲覧することができるアプリケーションソフトをダウンロードするためのＵＲＬを送信するためのアイコンが設定されている。このアイコンを選択・実行することにより、ユーザ端末２１から会員ユーザの携帯電話端末３にアプリケーションソフトをダウンロードするためのＵＲＬがＥメールにて送信される。
【００３９】
そして、Ｅメールを受信すると、携帯電話端末３のディスプレイには、図１２（ｄ）に示すような、アプリケーションソフトをダウンロードするためのＵＲＬが表示された受信メールが表示される。会員ユーザは、携帯電話端末３からこのＵＲＬにアクセスし、アプリケーションソフトをダウンロードする。尚、このときアプリケーションソフトと共にコンディションテーブル１４もダウンロードされる。
【００４０】
携帯電話端末３により、ダウンロードしたアプリケーションソフトを起動すると、図１２（ｅ）に示す、本システム１を利用するためのトップ画面（「連れてこ（株式会社ブロードライト商標）」ハワイトップ画面）が表示される。このトップ画面中のマイリストのアイコンを選択・実行すると、マイページに登録した○○レストランについての情報を閲覧することができる。これにより携帯電話端末３を渡航先に所持する準備が整ったことになる。つまり、携帯電話端末３が通信不可能な領域に移動したとしても、アプリケーションソフトを起動することにより、携帯電話端末３をスタンドアロンで使用することができ、ユーザ端末２１から登録した○○レストランについての情報を閲覧することができる。
【００４１】
２）「記録」について
「記録」処理は、アプリケーションソフトをダウンロードした携帯電話端末３を、通信不可能領域である渡航先に所持したときに行われる。
「記録」処理を行うためには、まず、携帯電話端末３にダウンロードされたアプリケーションソフトを起動させる。アプリケーションソフトを起動させると、携帯電話端末３のディスプレイ１８に、図１３（ａ）に示すトップ画面（「連れてこ（株式会社ブロードライト商標）」ハワイトップ画面）が表示される。トップ画面中の「スポットを探す」のアイコンを選択・実行し、会員ユーザは渡航先でのスポット（ここではレストランとして説明）を検索する。このとき、アプリケーションソフトはコンディションテーブル１４内のスポット基本データ，クチコミ情報，イベント情報を読み出し、携帯電話端末３のディスプレイに表示される（図１３（ｂ）参照）。表示は、ＦＬＡＳＨを使用したスクロール地図ベースで各種の条件検索にも対応することができる。
【００４２】
また、図１３（ａ）に示すトップ画面中の「マイリスト」のアイコンを選択・実行する
ことにより、渡航前に登録した○○レストランの情報をダイレクトに呼び出すこともできる（図１３（ｃ）参照）。
【００４３】
そして、表示された○○レストランについての情報を示す画面には、「撮影する」，「感想を書く」，「クーポン情報」というアイコンが設定されている。「撮影する」のアイコンを選択・実行すると、アプリケーションソフトは、携帯電話端末３にカメラが内蔵されている場合、カメラを立ち上げる（図１３（ｄ）参照）。撮影された画像は、アプリケーションソフト内に保存される。また、「感想を書く」のアイコンを選択・実行すると、アプリケーションソフトはテキスト入力画面を立ち上げる（図１３（ｅ）参照）。会員ユーザはテンキー１９により感想を入力する。さらに、「クーポン情報」のアイコンを選択・実行すると、アプリケーションソフトは○○レストランで利用できるクーポン情報の画面を表示する（図１３（ｆ）参照）。会員ユーザは、この画面を○○レストランで定時することにより、割引や特典サービスを受けることができる。
【００４４】
そして、○○レストランの画像が撮影され、感想が入力されると、アプリケーションソフト上の情報が更新される（図１３（ｇ）参照）。あくまでも、通信不可能領域にいるため、サーバ２のデータを更新することはできず、入力されたデータはアプリケーションソフト内だけで更新される。
【００４５】
また、本実施形態のシステムは、マイページに登録したイベント情報が時間の属性を有する場合、図１４に示すように、渡航先の現地時間でそのイベント情報をアラーム通知する機能を実現させることができる。
【００４６】
これは、アプリケーションソフトに登録したイベント情報に時間情報が付加されている場合、アプリケーションソフトは以下の処理を実行する。図１５に示すように、まず、アプリケーションソフトは現地のイベント情報を読み込む（Ｓ０１）。そして、時差補正テーブル１５から時差データを読み込み（Ｓ０２）、現地時間を算出する（Ｓ０３）。本実施形態では、渡航先がハワイであるため、時差補正テーブルを参照するとハワイと日本との時差は−１９時間となる。アプリケーションソフトでは、この値を用いて現地時間を算出する。
【００４７】
次に、アプリケーションソフトは、算出した現地時間と、イベント開始時間とが合致しているか否かを判断する（Ｓ０４）。ここで、合致していると判断した場合は、図１４に示すようなアラーム通知画面をディスプレイ１８に表示する処理を実行する（Ｓ０５）。一方、ステップ０４で算出した現地時間とイベント開始時間とが合致していないと判断した場合、イベント開始時間がくるまでその処理を繰り返す。
【００４８】
尚、アラーム通知は、アプリケーションソフトから起動の通知音を出力したり、バイブレーションを起動させたり、携帯電話端末３のディスプレイ１８にテキストや画像を表示させることにより実現される。
【００４９】
３）「書き込み」について
「書き込み」の処理は、上述した２）「記録」の処理で、追加撮影画像、感想テキスト情報が入った携帯電話端末３を渡航先から持ち帰り、携帯電話端末３が通信可能領域に移動された状態のときに行われる。
【００５０】
帰国後、会員ユーザは、携帯電話端末３の電源をＯＮして、アプリケーションソフトを起動させる。すると、図１６に示す、アップロード画面がディスプレイ１８に表示される。この画面には、アップロードを実行するか否かを決定する「ＹＥＳ」と「ＮＯ」のアイコンが設定されている。ここで、「ＹＥＳ」のアイコンを選択・実行すると、アプリケー
ションソフトは、マイページにアップロードするためのＵＲＬにＨｔｔｐでアクセスする。つまり、携帯電話端末３がインターネットを介してサーバ２に接続する。そして、アプリケーションソフトは、ユーザ認証をし、データをマイページにアップロードする。
【００５１】
これにより、サーバ２内のマイページデータは、書き込みされたタイムリーな情報に更新され、新しいデータが蓄積される。
【００５２】
以上のように、本システムによれば、携帯電話端末が海外のような通信不可能領域に移動した際であっても、携帯電話端末上に現地の情報を表示し利用することができる。
【００５３】
さらに、本システムによれば、現地において携帯電話端末上で新たな情報を記録しておき、通信可能領域に復帰移動した際に新たな情報をサーバのデータベースに反映させる。
【図面の簡単な説明】
【００５４】
【図１】本実施形態のシステムブロック図である。
【図２】スポット基本データテーブルを示す図である。
【図３】カテゴリデータテーブルを示す図である。
【図４】エリアデータテーブルを示す図である。
【図５】クチコミ情報テーブルを示す図である。
【図６】会員ユーザデータテーブルを示す図である。
【図７】イベントデータテーブルを示す図である。
【図８】コンディションテーブルを示す図である。
【図９】マイスポットテーブルを示す図である。
【図１０】時差補正テーブルを示す図である。
【図１１】本実施形態のシステムの概念図である。
【図１２】「持ち出し」処理を説明する図である。
【図１３】「記録」処理を説明する図である。
【図１４】アラーム通知機能を説明する図である。
【図１５】時差補正処理を示すフローチャートである。
【図１６】「書き込み」処理を説明する図である。
【符号の説明】
【００５５】
１  システム
２  サーバ
３  携帯電話端末
４  インターネット（ネットワーク）
５  ＣＰＵ
６  ＲＡＭ
７  ＲＯＭ
８  通信インターフェース
９  ハードディスク
１０  スポット基本データテーブル
１０ａ  カテゴリテーブル
１０ｂ  エリアテーブル
１１  クチコミ情報テーブル
１２  会員ユーザデータテーブル
１２ａ  マイスポットテーブル
１３  イベントデータテーブル
１４  コンディションテーブル
１５  時差補正テーブル
１６  ＣＰＵ
１７  メモリ
１８  ディスプレイ
１９  テンキー
２０  通信制御部
２１  ユーザ端末
【図１】
2008042653.tif 000003
【図２】
2008042653.tif 000004
【図３】
2008042653.tif 000005
【図４】
2008042653.tif 000006
【図５】
2008042653.tif 000007
【図６】
2008042653.tif 000008
【図７】
2008042653.tif 000009
【図８】
2008042653.tif 000010
【図９】
2008042653.tif 000011
【図１０】
2008042653.tif 000012
【図１１】
2008042653.tif 000013
【図１２】
2008042653.tif 000014
【図１３】
2008042653.tif 000015
【図１４】
2008042653.tif 000016
【図１５】
2008042653.tif 000017
【図１６】
2008042653.tif 000018